(57)【要約】  室内機は、風路に軸流ファン、側面視Ｗ字状の室内熱交換器、室内熱交換器の谷部の下方に配置された前側ドレンパン及び後側ドレンパンを備え、風路が第１風路、第２風路及び第３風路に分割されている。室内機は、吹出口に設けられる上下風向フラップとして、第２風路及び第３風路の下側に配置された後側上下風向フラップと、後側上下風向フラップの前方において第１風路の下側に配置された前側上下風向フラップとを備える。
2017026013.tif 000002
【特許請求の範囲】
【請求項１】
上面部に形成された吸込口、下面部から前面部下側にかけて形成された吹出口、及び、前記吸込口と前記吹出口とを連通する風路を有するケーシングと、
前記風路内において前記吸込口の下側に設けられた軸流ファンと、
前記風路内において前記軸流ファンの下側に設けられた、側面視Ｗ字状の室内熱交換器と、
前記風路内において、前記室内熱交換器の前側谷部の下方に配置された前側ドレンパンと、
前記風路内において、前記室内熱交換器の後側谷部の下方に配置された後側ドレンパンと、
を備え、
前記風路が、前記前側ドレンパン及び前記後側ドレンパンによって、該風路の前面壁と前記前側ドレンパンとの間に形成された第１風路、前記前側ドレンパンと前記後側ドレンパンとの間に形成された第２風路、及び、前記後側ドレンパンと前記風路の背面壁との間に形成された第３風路に分割された構成であり、
前記吹出口から吹き出される空気の上下方向の角度を調節する上下風向フラップとして、前記吹出口における前記ケーシングの前記下面部部分に分かれて配置され、少なくとも前端部が上下方向に揺動自在に設けられた前側上下風向フラップ及び後側上下風向フラップを備え、
前記後側上下風向フラップは、側面視において、前端部が前記第２風路の後端部と同位置又は前記第２風路よりも前側に位置するように、前記第２風路及び前記第３風路の下側に配置されており、
前記前側上下風向フラップは、側面視において、前記後側上下風向フラップより前方で、前記第１風路の下側に配置されている空気調和機の室内機。
【請求項２】
前記第２風路及び前記第３風路から吹き出された空気は、前記後側上下風向フラップによって、前記前側上下風向フラップへ導かれ、
前記第１風路から吹き出された空気、及び前記後側上下風向フラップから前記前側上下風向フラップに導かれた空気の上下方向の角度が前記前側上下風向フラップによって調節されることにより、
前記吹出口から吹き出される空気の上下方向の角度が調節される構成である請求項１に記載の空気調和機の室内機。
【請求項３】
前記上下風向フラップとして、さらに、
前記吹出口における前記ケーシングの前記前面部部分に、側面視において少なくとも下端部が揺動自在となるように配置され、暖房運転時に前記吹出口から吹き出される空気の上下方向の角度を調節する正面側上下風向フラップを備えた請求項１又は請求項２に記載の空気調和機の室内機。
【請求項４】
暖房運転時、前記正面側上下風向フラップの角度は、前記前側上下風向フラップの角度に応じて制御される構成である請求項３に記載の空気調和機の室内機。
【請求項５】
冷房運転時、前記正面側上下風向フラップの角度は、前記吹出口における前記ケーシングの前記前面部部分が全開となるように制御される請求項３又は請求項４に記載の空気調和機の室内機。
【請求項６】
端部が左右方向に揺動自在な複数の板部材を備え、前記吹出口から吹き出される空気の左右方向の角度を調節する左右風向フラップを備えた請求項１〜請求項５のいずれか一項に記載の空気調和機の室内機。
【請求項７】
前記前側上下風向フラップは、当該室内機の運転時、左右方向に延設された回転軸を中心に回転し、当該室内機が停止している状態から反転して用いられる構成であり、
前記左右風向フラップとして、
上側端部及び下側端部のうちの少なくとも一方が左右方向に揺動自在な複数の第１板部材を備え、前記第１風路に設けられた第１左右風向フラップと、
前側端部及び後側端部のうちの少なくとも一方が左右方向に揺動自在な複数の第２板部材を備え、当該室内機の運転時に前記前側上下風向フラップが水平になった状態において、該前側上下風向フラップにおける下面側となる面に設けられた第２左右風向フラップと、
を備えた請求項６に記載の空気調和機の室内機。
【請求項８】
前記前側上下風向フラップは、当該室内機の運転時、当該室内機が停止している状態から下方にスライドして用いられる構成であり、
当該室内機の運転時に前記前側上下風向フラップが水平になった状態において、該前側上下風向フラップにおける上面側となる面に、前記左右風向フラップが設けられている請求項６に記載の空気調和機の室内機。
【請求項９】
当該室内機の運転時に、前記前側上下風向フラップが少なくとも側面視において水平状態になった状態においては、該前側上下風向フラップの前端部が前記第１風路よりも前側に位置する構成である請求項７又は請求項８に記載の空気調和機の室内機。
【請求項１０】
前記後側上下風向フラップの角度は、前記前側上下風向フラップの角度に応じて制御される構成である請求項７〜請求項９のいずれか一項に記載の空気調和機の室内機。
【請求項１１】
左右方向に沿って複数の前記軸流ファンが並設されており、
平面視において隣接する前記軸流ファンの間に設けられ、前記風路を前記軸流ファン毎に分割する仕切板を備え、
前記左右風向フラップは、各々独立して制御自在に、前記軸流ファンと同数に分割されている請求項６〜請求項１０のいずれか一項に記載の空気調和機の室内機。
【請求項１２】
前記後側上下風向フラップは、当該室内機が停止している状態の位置、及び、当該室内機が運転している状態の位置の２位置で制御される構成である請求項１〜請求項１１のいずれか一項に記載の空気調和機の室内機。
【請求項１３】
左右方向に沿って複数の前記軸流ファンが並設されており、
平面視において隣接する前記軸流ファンの間に設けられ、前記風路を前記軸流ファン毎に分割する仕切板を備え、
前記後側上下風向フラップ以外の前記上下風向フラップは、各々独立して制御自在に、前記軸流ファンと同数に分割されている請求項１〜請求項１２のいずれか一項に記載の空気調和機の室内機。
【請求項１４】
前記後側上下風向フラップは、各々独立して制御自在に、前記軸流ファンと同数に分割されている請求項１３に記載の空気調和機の室内機。
【請求項１５】
前記前側ドレンパンの後方に、前側整流板を備えた請求項１〜請求項１４のいずれか一項に記載の空気調和機の室内機。
【請求項１６】
前記前側整流板の上端部は、
前記前側ドレンパンよりも上方に配置され、側面視において前記前側ドレンパン側に突出している請求項１５に記載の空気調和機の室内機。
【請求項１７】
前記後側ドレンパンの前方に、後側整流板を備えた請求項１〜請求項１６のいずれか一項に記載の空気調和機の室内機。
【請求項１８】
前記後側整流板の上端部は、
前記後側ドレンパンよりも上方に配置され、側面視において前記後側ドレンパン側に突出している請求項１７に記載の空気調和機の室内機。
【請求項１９】
前記後側ドレンパンの下端部に、前方に突出した突出部を備え、
前記後側整流板の下端部は、前記突出部に沿って前方に突出している請求項１７又は請求項１８に記載の空気調和機の室内機。
【発明の詳細な説明】
【技術分野】
【０００１】
本発明は、室内熱交換器の上流側に軸流ファンを備えた壁掛け式の空気調和機の室内機に関するものである。
【背景技術】
【０００２】
従来、室内熱交換器の上流側に軸流ファンを備えた壁掛け式の空気調和機の室内機が提案されている（例えば、特許文献１参照）。特許文献１に記載の室内機は、上面部に形成された吸込口、下面部から前面部下側にかけて形成された吹出口、及び、吸込口と吹出口とを連通する風路を有するケーシングと、風路内において吸込口の下側に設けられた軸流ファンと、風路内において軸流ファンの下側に設けられた室内熱交換器と、を備えている。【０００３】
また、壁掛け式の空気調和機の室内機は、吹出口に、該吹出口から吹き出される空気の上下方向の角度を調節する上下風向フラップ、及び、該吹出口から吹き出される空気の左右方向の角度を調節する左右風向フラップを備えている。そして、上下風向フラップ及び左右風向フラップの数は、１つの風路に対して１つ以上となっている。例えば、特許文献１の図７等には、１つの風路に対して２つの上下風向フラップを備えた室内機が開示されている。【０００４】
また、特許文献１の図１１には、軸流ファンの下流側つまり下側に、側面視Ｗ字状の室内熱交換器を設けた室内機も開示されている。
【先行技術文献】
【特許文献】
【０００５】
【特許文献１】特開２０１２−３７０８５号公報
【発明の概要】
【発明が解決しようとする課題】
【０００６】
冷房運転時に室内熱交換器で室内空気を冷却する際、該室内空気に含まれる水分が室内熱交換器に露として付着する。このため、室内熱交換器の下端部の下方には、室内熱交換器から滴下した露を受けるドレンパンが設けられている。つまり、側面視Ｗ字状の室内熱交換器の場合、該室内熱交換器の前側谷部の下方に前側ドレンパンが設けられ、該室内熱交換器の後側谷部の下方に後側ドレンパンが設けられる。このため、室内熱交換器の上流側に軸流ファンを備えた壁掛け式の空気調和機の室内機に、側面視Ｗ字状の室内熱交換器を採用した場合、前側ドレンパン及び後側ドレンパンによって、ケーシング内の風路が３つに分割されることとなる。詳しくは、風路が、前側ドレンパン及び後側ドレンパンによって、該風路の前面壁と前側ドレンパンとの間に形成された第１風路、前側ドレンパンと後側ドレンパンとの間に形成された第２風路、及び、後側ドレンパンと風路の背面壁との間に形成された第３風路に分割された構成となる。【０００７】
ここで、従来の室内機は、上述のように、１つの風路に対して１つ以上の上下風向フラップ及び左右風向フラップが吹出口に設けられる。このため、室内熱交換器の上流側に軸流ファンを備えた壁掛け式の空気調和機の室内機に、側面視Ｗ字状の室内熱交換器を採用した場合、従来の技術では、吹出口には少なくとも３つの上下風向フラップ及び左右風向フラップが設けられることとなる。したがって、従来、室内熱交換器の上流側に軸流ファンを備えた壁掛け式の空気調和機の室内機に、側面視Ｗ字状の室内熱交換器を採用した場合、上下風向フラップ及び左右風向フラップの構造が複雑になるという課題があった。また、上下風向フラップ及び左右風向フラップの構造の複雑さに伴って、上下風向フラップ及び左右風向フラップの制御も複雑になるという課題があった。【０００８】
本発明は、上述のような課題を解決するためになされたものであり、側面視Ｗ字状の室内熱交換器の上流側に軸流ファンを備えた壁掛け式の空気調和機の室内機において、上下風向フラップの構造及び制御を簡略化できる空気調和機の室内機を得ることを目的とする。
【課題を解決するための手段】
【０００９】
本発明に係る空気調和機の室内機は、上面部に形成された吸込口、下面部から前面部下側にかけて形成された吹出口、及び、前記吸込口と前記吹出口とを連通する風路を有するケーシングと、前記風路内において前記吸込口の下側に設けられた軸流ファンと、前記風路内において前記軸流ファンの下側に設けられた、側面視Ｗ字状の室内熱交換器と、前記風路内において、前記室内熱交換器の前側谷部の下方に配置された前側ドレンパンと、前記風路内において、前記室内熱交換器の後側谷部の下方に配置された後側ドレンパンと、を備え、前記風路が、前記前側ドレンパン及び前記後側ドレンパンによって、該風路の前面壁と前記前側ドレンパンとの間に形成された第１風路、前記前側ドレンパンと前記後側ドレンパンとの間に形成された第２風路、及び、前記後側ドレンパンと前記風路の背面壁との間に形成された第３風路に分割された構成であり、前記吹出口から吹き出される空気の上下方向の角度を調節する上下風向フラップとして、前記吹出口における前記ケーシングの前記下面部部分に分かれて配置され、少なくとも前端部が上下方向に揺動自在に設けられた前側上下風向フラップ及び後側上下風向フラップを備え、前記後側上下風向フラップは、側面視において、前端部が前記第２風路の後端部と同位置又は前記第２風路よりも前側に位置するように、前記第２風路及び前記第３風路の下側に配置されており、前記前側上下風向フラップは、側面視において、前記後側上下風向フラップより前方で、前記第１風路の下側に配置されているものである。
【発明の効果】
【００１０】
本発明に係る空気調和機の室内機は、上述のように構成されているので、側面視Ｗ字状の室内熱交換器の上流側に軸流ファンを備えた壁掛け式の空気調和機の室内機において、上下風向フラップの構造及び制御を簡略化できる。
【図面の簡単な説明】
【００１１】
【図１】本発明の実施の形態１に係る空気調和機の室内機を示す正面図である。
【図２】本発明の実施の形態１に係る空気調和機の室内機を示す右側面図である。
【図３】本発明の実施の形態１に係る空気調和機の室内機を正面右側から見た斜視図である。
【図４】本発明の実施の形態１に係る空気調和機の室内機を正面右側から見た斜視図である。
【図５】本発明の実施の形態１に係る空気調和機の室内機を正面右側から見た斜視図である。
【図６】本発明の実施の形態１に係る空気調和機の室内機を右側から見た縦断面図である。
【図７】本発明の実施の形態１に係る前側ドレンパン及び後側ドレンパンを正面右側から見た斜視図である。
【図８】図７のＺ−Ｚ断面図である。
【図９】本発明の実施の形態１に係る空気調和機の室内機のハードウェア構成図である。
【図１０】本実施の形態１に係る空気調和機の室内機における冷房運転動作を説明するための図である。
【図１１】本実施の形態１に係る空気調和機の室内機における冷房運転動作を説明するための図である。
【図１２】本実施の形態１に係る空気調和機の室内機における冷房運転動作を説明するための図である。
【図１３】本実施の形態１に係る空気調和機の室内機における冷房運転動作を説明するための図である。
【図１４】本実施の形態１に係る空気調和機の室内機における暖房運転動作を説明するための図である。
【図１５】本実施の形態１に係る空気調和機の室内機における暖房運転動作を説明するための図である。
【図１６】本発明の実施の形態２に係る空気調和機の室内機を右側から見た縦断面図である。
【図１７】本発明の実施の形態３に係る空気調和機の室内機を示す正面図である。
【図１８】本発明の実施の形態３に係る空気調和機の室内機を示す正面図である。
【図１９】本発明の実施の形態３に係る空気調和機の室内機を右側から見た縦断面図である。
【図２０】本発明の実施の形態３に係る空気調和機の室内機を正面右側から見た斜視図である。
【発明を実施するための形態】
【００１２】
実施の形態１．
図１は、本発明の実施の形態１に係る空気調和機の室内機を示す正面図である。図２は、本発明の実施の形態１に係る空気調和機の室内機を示す右側面図である。図３〜図５は、本発明の実施の形態１に係る空気調和機の室内機を正面右側から見た斜視図である。図６は、本発明の実施の形態１に係る空気調和機の室内機を右側から見た縦断面図である。
なお、図４は、室内機１００を右上方から見た図面であり、風路１０の前面壁１４及び正面側上下風向フラップ４７を取り外した状態を示している。また、図５は、室内機１００を右下方から見た図面であり、風路１０の前面壁１４及び正面側上下風向フラップ４７を取り外した状態を示している。また、図６は、紙面左側が室内機１００の正面側となっている。ここで、後述のように、本実施の形態１に係る室内機１００においては、運転時、前側上下風向フラップ４１が反転して用いられる構成となっている。つまり、図４及び図５は運転時における前側上下風向フラップ４１の状態を示しており、図６は停止時における前側上下風向フラップ４１の状態を示している。
【００１３】
室内機１００は、冷媒を循環させる冷凍サイクルを利用することで、部屋等の空調空間に空調空気を供給するものである。この室内機１００は、例えば室内の壁面に設けられる壁掛け式の室内機であり、該室内機１００の外殻を構成するケーシング１を備えている。このケーシング１は、上面部に形成された吸込口２、下面部から前面部下側にかけて形成された吹出口３、及び、吸込口２と吹出口３とを連通する風路１０を備えている。この風路１０内には、軸流ファン４及び室内熱交換器２０が設けられている。なお、本実施の形態１では、ケーシング１の前面部の裏側部分が、風路１０の前面壁１４となっている。また、ケーシング１の背面部の前側部分が、風路１０の背面壁１５となっている。また、風路１０の左右側壁部は、室内熱交換器２０の左右側端部に設けられた図示せぬ側板等で構成されている。
【００１４】
軸流ファン４は、吸込口２から風路１０内に室内空気を吸い込み、該室内空気を室内熱交換器２０に送り、室内熱交換器２０と熱交換後の室内空気である空調空気を吹出口３から吹き出させるものである。この軸流ファン４は、吸込口２の下側、つまり吸込口２の下流側に設けられている。軸流ファン４は、例えばプロペラファンである。ここで、一般的に、空気調和機の室内機は設置スペースに制約があるため、軸流ファン４を大きくできないことが多い。このため、本実施の形態１では、所望の風量を得るために、複数個（実施の形態１では２個）の軸流ファン４をケーシング１の長手方向（左右方向）に並設している。
【００１５】
なお、軸流ファン４の数は、複数個に限定されるものではない。所望の風量を得ることができれば、１個の軸流ファン４のみを室内機１００に設けてもよい。また、本実施の形態１では、斜流ファンも軸流ファンに含むこととする。斜流ファンも、全体的な空気の流れは、ファン回転軸に沿ったものになるからである。
【００１６】
室内熱交換器２０は、自身の内部を流れる冷媒と室内空気とを熱交換させることで空調空気を作り出すものである。この室内熱交換器２０は、軸流ファン４の下側、つまり、軸流ファン４の下流側に設けられている。室内熱交換器２０は、例えば、所定の間隔を介して並設された複数のフィンと、これらフィンの並設方向にこれらフィンを貫通し、内部に冷媒が流入する複数の伝熱管とを備えたフィンチューブ型熱交換器である。また、室内熱交換器２０は、側面視Ｗ字状に形成されている。
【００１７】
詳しくは、室内熱交換器２０は、例えばフィンチューブ型熱交換器である第１熱交換器２１、第２熱交換器２２、第３熱交換器２３及び第４熱交換器２４を備えている。これら第１熱交換器２１、第２熱交換器２２、第３熱交換器２３及び第４熱交換器２４が風路１０内において前面壁１４から背面壁１５側に順次配置されて、室内熱交換器２０は側面視Ｗ字状に形成されている。
【００１８】
ここで、冷房運転時に室内熱交換器２０で室内空気を冷却する際、該室内空気に含まれる水分が室内熱交換器２０に露として付着する。このため、室内熱交換器２０の下端部の下方には、室内熱交換器２０から滴下した露を受けるドレンパンが設けられている。詳しくは、側面視Ｗ字状に形成された本実施の形態１に係る室内熱交換器２０においては、室内熱交換器２０の前側谷部の下方、つまり第１熱交換器２１と第２熱交換器２２との接続部の下方に、前側ドレンパン３１が設けられている。また、室内熱交換器２０の後側谷部の下方、つまり第３熱交換器２３と第４熱交換器２４との接続部の下方に、後側ドレンパン３５が設けられている。
【００１９】
図７は、本発明の実施の形態１に係る前側ドレンパン及び後側ドレンパンを正面右側から見た斜視図である。また、図８は、図７のＺ−Ｚ断面図である。なお、図７及び図８には、後述する前側上下風向フラップ４１、後側上下風向フラップ４５、第１左右風向フラップ５１、第２左右風向フラップ５５、前側整流板６１及び後側整流板６５も示している。また、前側整流板６１及び後側整流板６５は、前側ドレンパン３１及び後側ドレンパン３５に取り付ける前の状態を示している。
【００２０】
図７及び図８に示すように、前側ドレンパン３１及び後側ドレンパン３５の左右両端部は、排水路３８で接続されている。また、排水路３８の少なくとも一方の背面側には、図示せぬドレンホースが接続される接続口３９が設けられている。つまり、前側ドレンパン３１及び後側ドレンパン３５で回収された露は、排水路３８、接続口３９及び図示せぬドレンホースを通って、室内機１００外へ排出される構成となっている。
【００２１】
このように、側面視Ｗ字状に形成された室内熱交換器２０の下方に前側ドレンパン３１及び後側ドレンパン３５を配置することにより、前側ドレンパン３１及び後側ドレンパン３５によって、ケーシング１内の風路１０が３つに分割されることとなる。詳しくは、図６に示すように、風路１０が、前側ドレンパン３１及び後側ドレンパン３５によって、該風路１０の前面壁１４と前側ドレンパン３１との間に形成された第１風路１１、前側ドレンパン３１と後側ドレンパン３５との間に形成された第２風路１２、及び、後側ドレンパン３５と風路１０の背面壁１５との間に形成された第３風路１３に分割された構成となる。
【００２２】
また、本実施の形態１に係る室内機１００は、風路１０に、吹出口３から吹き出される空気の上下方向の角度を調節する上下風向フラップ４０、及び、吹出口３から吹き出される空気の左右方向の角度を調節する左右風向フラップ５０を備えている。
【００２３】
ここで、従来の壁掛け式の室内機は、１つの風路に対して１つ以上の上下風向フラップ及び左右風向フラップが吹出口に設けられる。このため、第１風路１１、第２風路１２及び第３風路１３が形成された室内機１００に対して、従来技術で上下風向フラップ及び左右風向フラップを設けようとした場合、少なくとも３つの上下風向フラップ及び左右風向フラップが設けられることとなる。これでは、上下風向フラップ及び左右風向フラップの構造が複雑になってしまう。また、上下風向フラップ及び左右風向フラップの構造の複雑さに伴って、上下風向フラップ及び左右風向フラップの制御も複雑になってしまう。
そこで、本実施の形態１に係る室内機１００においては、上下風向フラップ４０及び左右風向フラップ５０を以下のように構成している。
【００２４】
室内機１００は、上下風向フラップ４０として、前側上下風向フラップ４１、後側上下風向フラップ４５、及び、正面側上下風向フラップ４７を備える。前側上下風向フラップ４１及び後側上下風向フラップ４５は、吹出口３におけるケーシング１の下面部部分に分かれて配置されている。これら前側上下風向フラップ４１及び後側上下風向フラップ４５は、少なくとも前端部が上下方向に揺動自在に設けられたものである。正面側上下風向フラップ４７は、吹出口３におけるケーシング１の前面部部分に、側面視において少なくとも下端部が揺動自在となるように配置されたものである。室内機１００の停止時、これら前側上下風向フラップ４１、後側上下風向フラップ４５、及び、正面側上下風向フラップ４７は、吹出口３を閉塞する構成となっている。これにより、室内機１００の意匠性が向上する。
なお、正面側上下風向フラップ４７は、後述のように暖房時の暖房性能をより向上させるものであり、上下風向フラップ４０として必須の構成ではない。
【００２５】
詳しくは、後側上下風向フラップ４５は、側面視において、第２風路１２及び第３風路１３の下側に配置されている。この後側上下風向フラップ４５は、第２風路１２及び第３風路１３から吹き出された空気を前方、つまり、前側上下風向フラップ４１へ導くものである。後側上下風向フラップ４５は、ケーシング１の左右方向に長い板状部材であり、側面視において、下側に凸となったゆるやかな円弧形状に形成されている。また、後側上下風向フラップ４５は、側面視において自身の中心よりも若干後方となる位置に、左右方向に延設された回転軸４６を備えている。つまり、後側上下風向フラップ４５は、回転軸４６を中心として、前端部及び後端部が上下方向に揺動自在な構成となっている。
【００２６】
また、後側上下風向フラップ４５は、前端部が第２風路１２の後端部と同位置又は前記第２風路よりも前側に位置するように、配置されている。ここで、第２風路１２の後端部とは、前側ドレンパン３１において最も後方に突出した箇所である。なお、図６に示すように、第３風路１３の背面側を構成する背面壁１５の下部は、第３風路１３から吹き出した空気を前方に導くため、下方に向かうにしたがって前方に突出した形状となっている。後側上下風向フラップ４５の後端部は、第３風路１３の背面側を構成する背面壁１５の下端部よりも、若干前方に配置されている。
【００２７】
前側上下風向フラップ４１は、側面視において、後側上下風向フラップ４５より前方で、第１風路１１の下側に配置されている。この前側上下風向フラップ４１は、第１風路１１から吹き出された空気、及び後側上下風向フラップ４５から導かれてきた空気の上下方向の角度を調節するものである。これにより、吹出口３から吹き出される空気の上下方向の角度が調節される。前側上下風向フラップ４１は、ケーシング１の左右方向に長い板状部材であり、左右方向に延設された回転軸４２を備えている。つまり、前側上下風向フラップ４１は、回転軸４２を中心として、側面視において回転自在となっている。
【００２８】
また、例えば図４〜図６に示すように、本実施の形態１に係る室内機１００においては、前側上下風向フラップ４１は、室内機１００の運転時、回転軸４２を中心に回転し、室内機１００が停止している状態から反転して用いられる構成となっている。また、室内機１００の運転状態において、前側上下風向フラップ４１は、回転軸４２を中心として、前端部及び後端部が上下方向に揺動自在な構成となっている。また、後述の図１０で示すように、室内機１００の運転時に、前側上下風向フラップ４１が少なくとも側面視において水平状態になった状態においては、前側上下風向フラップ４１の前端部が第１風路１１よりも前側に位置する構成となっている。
【００２９】
正面側上下風向フラップ４７は、暖房運転時、吹出口３から吹き出される空気の上下方向の角度を調節するものである。この正面側上下風向フラップ４７は、ケーシング１の左右方向に長い板状部材であり、左右方向に延設された回転軸４８を備えている。つまり、正面側上下風向フラップ４７は、回転軸４８を中心として回転することにより、下端部が揺動する構成となっている。なお、冷房運転時、正面側上下風向フラップ４７は、必須の構成ではない。このため、後述の図１０で示すように、冷房運転時、正面側上下風向フラップ４７は、自身の下端部が吹出口３よりも上方に位置するところまで回転し、吹出口３におけるケーシング１の前面部部分を全開にする。
【００３０】
室内機１００は、左右風向フラップ５０として、第１左右風向フラップ５１及び第２左右風向フラップ５５を備える。第１左右風向フラップ５１は、第１風路１１に設けられ、第１風路１１から吹き出された空気の左右方向の角度を調節するものである。この第１左右風向フラップ５１は、上側端部及び下側端部のうちの少なくとも一方が左右方向に揺動自在な複数の板部材５２を備える。これら板部材５２は、所定の間隔を介して、ケーシング１の左右方向に並設されている。また、板部材５２のそれぞれは回転軸５３を有しており、各板部材５２は左右方向に延設された連結部材５４で連結されている。つまり、連結部材５４をケーシング１の左右方向に動かすことにより、板部材５２のそれぞれは、回転軸５３を中心として回転し、上側端部及び下側端部が左右方向に揺動する構成となっている。
ここで、板部材５２が、本発明の第１板部材に相当する。
【００３１】
第２左右風向フラップ５５は、後側上下風向フラップ４５から導かれてきた空気の左右方向の角度を調節するものである。この第２左右風向フラップ５５は、前側上下風向フラップ４１に設けられている。詳しくは、第２左右風向フラップ５５は、室内機１００の運転時に前側上下風向フラップ４１が水平になった状態において、該前側上下風向フラップ４１における下面側となる面に設けられている。この第２左右風向フラップ５５は、前側端部及び後側端部のうちの少なくとも一方が左右方向に揺動自在な複数の板部材５６を備える。これら板部材５６は、所定の間隔を介して、ケーシング１の左右方向に並設されている。また、板部材５６のそれぞれは回転軸５７を有しており、各板部材５６は左右方向に延設された連結部材５８で連結されている。つまり、連結部材５８をケーシング１の左右方向に動かすことにより、板部材５６のそれぞれは、回転軸５７を中心として回転し、前側端部及び後側端部が左右方向に揺動する構成となっている。
【００３２】
ここで、板部材５６が、本発明の第２板部材に相当する。なお、第２左右風向フラップ５５は、必ずしも前側上下風向フラップ４１に設けられる必要はなく、前側上下風向フラップ４１とは別置きにしてもよい。しかしながら、第２左右風向フラップ５５を前側上下風向フラップ４１設けることにより、室内機１００の停止時に第２左右風向フラップ５５をケーシング１内に収納できるので、室内機１００の意匠性を向上させることができる。
【００３３】
また、本実施の形態１に係る室内機１００は、風路１０に、気流の流れを整える前側整流板６１及び後側整流板６５を備えている。前側整流板６１は、ケーシング１の左右方向に長い板状部材であり、図６に示すように、所定の間隔を空けて、前側ドレンパン３１の後方に設けられている。第２風路１２の前面壁にもなる前側ドレンパン３１の背面３２は、第２風路１２から吹き出された空気が前方に流れやすいように、側面視において下に凸の円弧形状となっており、上部から下部にかけて前方に傾斜した形状となっている。そして、前側整流板６１は、側面視において前側ドレンパン３１の背面３２に沿った形状となっている。また、前側整流板６１と前側ドレンパン３１との間に空気を導きやすいように、前側整流板６１の上端部６２は、前側ドレンパン３１よりも上方に配置され、側面視において前側ドレンパン３１側に突出している。つまり、前側整流板６１もまた、側面視において下に凸の円弧形状となっている。
【００３４】
後側整流板６５は、ケーシング１の左右方向に長い板状部材であり、所定の間隔を空けて、後側ドレンパン３５の前方に設けられている。第２風路１２の背面壁にもなる後側ドレンパン３５の前面３６もまた、前側ドレンパン３１の背面３２と同様に、第２風路１２から吹き出された空気が前方に流れやすい形状となっている。詳しくは、後側ドレンパン３５の前面３６は、上部から下部にかけて前方に傾斜した形状となっている。また、後側ドレンパン３５の前面３６の下端部には、第２風路１２から吹き出された空気を前方に曲げる突出部３７が、前方に突出している。そして、後側整流板６５は、側面視において後側ドレンパン３５の前面３６に沿った形状となっている。つまり、後側整流板６５の中央部は、上部から下部にかけて前方に傾斜した形状となっている。また、後側整流板６５の下端部６７は、後側ドレンパン３５の突出部３７に沿って、前方に突出した形状となっている。さらに、後側整流板６５と後側ドレンパン３５との間に空気を導きやすいように、後側整流板６５の上端部６６は、後側ドレンパン３５よりも上方に配置され、側面視において後側ドレンパン３５側に突出している。つまり、後側整流板６５は、側面視において略Ｓ字形状となっている。
【００３５】
なお、図７及び図８に示すように、本実施の形態１では、前側整流板６１及び後側整流板６５を連結板６８で連結し、整流板ユニット６０として構成している。そして、この整流板ユニット６０は、前側整流板６１の前面側及び後側整流板６５の背面側に複数の爪６９が突設されている。これらの爪６９を前側ドレンパン３１及び後側ドレンパン３５に形成された図示せぬ凹部に差し込むことにより、前側整流板６１及び後側整流板６５は上記の位置に固定される。なお、整流板ユニット６０を前側ドレンパン３１及び後側ドレンパン３５と一体成形してもよい。
【００３６】
さらに、本実施の形態１に係る室内機１００は、赤外線センサー８０及び制御装置９０等も備えている。赤外線センサー８０は、室内の温度分布、及び、室内におけるユーザーの位置等を検知するものである。この赤外線センサー８０は、ケーシング１の下面部から突出して設けられている。
【００３７】
図９は、本発明の実施の形態１に係る空気調和機の室内機のハードウェア構成図である。
制御装置９０は、専用のハードウェア、又はメモリに格納されるプログラムを実行するＣＰＵ（Ｃｅｎｔｒａｌ  Ｐｒｏｃｅｓｓｉｎｇ  Ｕｎｉｔ、中央処理装置、処理装置、演算装置、マイクロプロセッサ、マイクロコンピュータ、プロセッサともいう）で構成される。制御装置９０は、例えばケーシング１における風路１０以外の場所に収納されている。
【００３８】
制御装置９０が専用のハードウェアである場合、制御装置９０は、例えば、単一回路、複合回路、ＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、ＦＰＧＡ（ｆｉｅｌｄ−ｐｒｏｇｒａｍｍａｂｌｅ  ｇａｔｅ  ａｒｒａｙ）、又はこれらを組み合わせたものが該当する。制御装置９０が実現する各機能部のそれぞれを、個別のハードウェアで実現してもよいし、各機能部を一つのハードウェアで実現してもよい。
【００３９】
制御装置９０がＣＰＵの場合、制御装置９０が実行する各機能は、ソフトウェア、ファームウェア、又はソフトウェアとファームウェアとの組み合わせにより実現される。ソフトウェアやファームウェアはプログラムとして記述され、メモリに格納される。ＣＰＵは、メモリに格納されたプログラムを読み出して実行することにより、制御装置９０の各機能を実現する。ここで、メモリは、例えば、ＲＡＭ、ＲＯＭ、フラッシュメモリ、ＥＰＲＯＭ、ＥＥＰＲＯＭ等の、不揮発性又は揮発性の半導体メモリである。
【００４０】
なお、制御装置９０の機能の一部を専用のハードウェアで実現し、一部をソフトウェア又はファームウェアで実現するようにしてもよい。
【００４１】
本実施の形態１においては、制御装置９０は、赤外線センサー８０の検知結果及びリモートコントローラ８１に入力された運転情報等に基づいて、軸流ファン４、上下風向フラップ４０及び左右風向フラップ５０等を制御する。詳しくは、制御装置９０は、軸流ファン４の起動、停止及び回転数の制御を行う。また、制御装置９０は、前側上下風向フラップ４１の回転軸４２に接続された図示せぬモータ等の駆動装置を制御して、前側上下風向フラップ４１の角度を制御する。また、制御装置９０は、後側上下風向フラップ４５の回転軸４６に接続された図示せぬモータ等の駆動装置を制御して、後側上下風向フラップ４５の角度を制御する。また、制御装置９０は、正面側上下風向フラップ４７の回転軸４８に接続された図示せぬモータ等の駆動装置を制御して、正面側上下風向フラップ４７の角度を制御する。また、制御装置９０は、第１左右風向フラップ５１の連結部材５４に接続された図示せぬモータ等の駆動装置を制御し、連結部材５４を動かして、第１左右風向フラップ５１の板部材５２の角度を制御する。また、制御装置９０は、第２左右風向フラップ５５の連結部材５８に接続された図示せぬモータ等の駆動装置を制御し、連結部材５８を動かして、第２左右風向フラップ５５の板部材５６の角度を制御する。
【００４２】
［動作説明］
続いて、このように構成された室内機１００の動作について説明する。
【００４３】
（冷房運転）
図１０〜図１３は、本実施の形態１に係る空気調和機の室内機における冷房運転動作を説明するための図である。なお、図１０及び図１１は、室内機１００を右側から見た縦断面図である。また、図１２は、風路１０の前面壁１４及び正面側上下風向フラップ４７を取り外した状態の室内機１００を示す正面図である。また、図１３は、風路１０の前面壁１４及び正面側上下風向フラップ４７を取り外した状態の室内機１００を正面右側から見た斜視図である。
【００４４】
リモートコントローラ８１等を介して、制御装置９０に冷房運転の指令が入力されると、制御装置９０は、図１０及び図１１に示すように、後側上下風向フラップ４５の前端部が下がるように回転させ、後側上下風向フラップ４５の角度を室内機１００停止時の閉状態から運転時の開状態にする。なお、本実施の形態１では、後側上下風向フラップ４５は、室内機１００が停止している状態の位置、及び、室内機１００が運転している状態の位置の２位置で制御される。後側上下風向フラップ４５は、第２風路１２及び第３風路１３から吹き出された空気を前側上下風向フラップ４１へ導くものであるため、上記２位置の間の任意の位置で後側上下風向フラップ４５を停止させる必要、つまり、後側上下風向フラップ４５の角度を連続的に制御する必要はないからである。このように後側上下風向フラップ４５を制御することにより、後側上下風向フラップ４５の制御が簡単になる。
【００４５】
また、制御装置９０は、下端部が吹出口３よりも上方に位置するところまで正面側上下風向フラップ４７を回転させ、吹出口３におけるケーシング１の前面部部分を全開にする。そして、制御装置９０は、軸流ファン４を起動させ、リモートコントローラ８１等で指定された風量となるように軸流ファン４の回転数を制御する。また、制御装置９０は、前側上下風向フラップ４１を反転させ、前側上下風向フラップ４１の角度を制御する。
【００４６】
軸流ファン４が起動すると、室内空気は、吸込口２からケーシング１の風路１０内に吸い込まれる。この空気は、軸流ファン４によって室内熱交換器２０に送られる。そして、この空気は、室内熱交換器２０を通る際に、室内熱交換器２０内を流れる冷媒によって冷却される。この際、第１熱交換器２１を通った空気は、第１風路１１に吹き出される。また、第２熱交換器２２及び第３熱交換器２３を通った空気は、第２風路１２に吹き出される。また、第４熱交換器２４を通った空気は、第３風路１３に吹き出される。
【００４７】
ここで、第１風路１１に吹き出される空気は、その大部分が前面壁１４に沿って流れてきたものである。このため、第１風路１１の気流の乱れは、比較的小さい。同様に、第３風路１３に吹き出される空気は、その大部分が背面壁１５に沿って流れてきたものである。このため、第３風路１３の気流の乱れも、比較的小さい。一方、第２風路１２に吹き出される空気は、第２熱交換器２２を通過した空気と第３熱交換器２３を通過した空気とが混ざり合ったもの、つまり、ぶつかりあったものとなる。このため、第２風路１２の気流の乱れが大きくなり、第２風路１２での圧力損失の増大が懸念される。しかしながら、本実施の形態１では、第２風路１２に前側整流板６１及び後側整流板６５を備えている。このため、第２熱交換器２２を通過した空気と第３熱交換器２３を通過した空気とが混ざり合って第２風路１２に流入した際、前側整流板６１及び後側整流板６５によって流れが整えられる。したがって、第２風路１２での圧力損失を抑制できる。
【００４８】
また、第２熱交換器２２を通過した空気の一部は、前側ドレンパン３１の上面部に沿って流れ、第２熱交換器２２と第３熱交換器２３との間に、上向きに流れ込む。この気流も、第２風路１２での圧力損失の増大の一因となる。しかしながら、本実施の形態１においては、この気流は、前側整流板６１の上端部６２によって、前側ドレンパン３１と前側整流板６１との間に導かれ、流れが整えられる。つまり、前側整流板６１のみでも、第２風路１２での圧力損失を抑制できるという効果が得られる。
【００４９】
同様に、第３熱交換器２３を通過した空気の一部は、後側ドレンパン３５の上面部に沿って流れ、第２熱交換器２２と第３熱交換器２３との間に、上向きに流れ込む。この気流も、第２風路１２での圧力損失の増大の一因となる。しかしながら、本実施の形態１においては、この気流は、後側整流板６５の上端部６６によって、後側ドレンパン３５と後側整流板６５との間に導かれ、流れが整えられる。つまり、後側整流板６５のみでも、第２風路１２での圧力損失を抑制できるという効果が得られる。また、後側ドレンパン３５と後側整流板６５との間を流れる空気は、後側ドレンパン３５の突出部３７と後側整流板６５の下端部６７とによって、その流れが前方に曲げられる。このため、第２風路１２から吹き出された空気が後側上下風向フラップ４５で前方に曲げられる際の圧力損失も抑制することができる。
【００５０】
第１風路１１から吹き出された空気は、前側上下風向フラップ４１に向かって流れる。また、第２風路１２及び第３風路１３から吹き出された空気も、後側上下風向フラップ４５によって前方へ曲げられ、前側上下風向フラップ４１へ導かれる。このため、制御装置９０が前側上下風向フラップ４１の角度を制御することにより、吹出口３から吹き出される空気の角度を調節することができる。
【００５１】
例えば、制御装置９０は、図１０のように、前側上下風向フラップ４１の角度を制御する。詳しくは、冷房運転時、吹出口３から吹き出される空気は、室内の空気よりも冷たいため、室内の空気よりも重い。このため、吹出口３から吹き出された空気は、下側に流れようとする。したがって、吹出口３から吹き出される空気を室内の遠くまで送るため、制御装置９０は、前側上下風向フラップ４１を側面視において水平状態にする。これにより、吹出口３から吹き出される冷たい空気を室内の遠くまで送ることができる。
【００５２】
このとき、本実施の形態１では、室内機１００の運転時に、前側上下風向フラップ４１が少なくとも側面視において水平状態になった状態においては、前側上下風向フラップ４１の前端部が第１風路１１よりも前側に位置する構成となっている。このため、第１風路１１から吹き出した空気が確実に前側上下風向フラップ４１に当たるため、吹出口３から吹き出される空気の上下方向の角度制御の精度が向上する。また、本実施の形態１では、下端部が吹出口３よりも上方に位置するところまで正面側上下風向フラップ４７を回転させ、吹出口３におけるケーシング１の前面部部分を全開にしている。このため、吹出口３から吹き出される空気が正面側上下風向フラップ４７にぶつかり、圧力損失が増大することを防止できる。また、吹出口３から吹き出される冷たい空気が正面側上下風向フラップ４７にぶつかることを防止できるので、正面側上下風向フラップ４７に結露が発生することも防止できる。
【００５３】
また例えば、制御装置９０は、図１１のように、前側上下風向フラップ４１の角度を制御することもできる。詳しくは、リモートコントローラ８１によって下吹きを指示された場合、及び、赤外線センサー８０によってユーザーが室内機１００の近くに存在していることが検知された場合等、制御装置９０は、前側上下風向フラップ４１を側面視において垂直状態にする。これにより、吹出口３から吹き出される冷たい空気を室内機１００の近くに送ることができる。
【００５４】
また例えば、制御装置９０は、図１０で示す状態と図１１で示す状態との間の任意の角度で、前側上下風向フラップ４１を停止させることもできる。また例えば、制御装置９０は、図１０で示す状態と図１１で示す状態との間の角度において、前側上下風向フラップ４１の角度を連続的に変更していき、吹出口３からの冷気の吹出角度をスイング制御することもできる。
【００５５】
また、リモートコントローラ８１からの指示、及び、赤外線センサー８０の検知結果等に基づいて、吹出口３から吹き出される空気の左右方向の角度を調節する場合、制御装置９０は、第１左右風向フラップ５１及び第２左右風向フラップ５５を制御する。
【００５６】
例えば、図１２及び図１３に示す場合、吹出口３から左側に空気を吹き出したい場合、制御装置９０は、板部材５２が傾くように、詳しくは板部材５２の下側端部が板部材５２の上側端部よりも左側に位置するように、第１左右風向フラップ５１を制御する。これにより、第１風路１１から吹き出される空気の左右方向の角度が調節される。同様に、制御装置９０は、板部材５６が傾くように、詳しくは板部材５６の前側端部が板部材５６の後側端部よりも左側に位置するように、第２左右風向フラップ５５を制御する。これにより、第２風路１２及び第３風路１３から吹き出され、後側上下風向フラップ４５で前方に導かれた空気の左右方向の角度が調節される。
このように、第１左右風向フラップ５１及び第２左右風向フラップ５５を制御することで、吹出口３から左側に空気を吹き出すことができる。
【００５７】
なお、板部材５２及び板部材５６の傾く角度は、吹出口３から吹き出される空気の左方向への曲げ具合によって異なる。また、吹出口３から右側に空気を吹き出したい場合、制御装置９０は、板部材５２及び板部材５６が図１２及び図１３とは逆に傾くように、第１左右風向フラップ５１及び第２左右風向フラップ５５を制御する。
【００５８】
（暖房運転）
冷房運転時と暖房運転時とで異なる点は、以下の２点である。
（１）風路１０内に吸い込まれた室内空気は、室内熱交換器２０を通る際、室内熱交換器２０内を流れる冷媒によって加熱される点。
（２）正面側上下風向フラップ４７の角度は、前側上下風向フラップ４１の角度に応じて制御される点。
したがって、以下では、暖房運転時における前側上下風向フラップ４１及び正面側上下風向フラップ４７の制御方法について説明する。
【００５９】
図１４及び図１５は、本実施の形態１に係る空気調和機の室内機における暖房運転動作を説明するための図である。なお、図１４及び図１５は、室内機１００を右側から見た縦断面図である。
【００６０】
リモートコントローラ８１等を介して、制御装置９０に暖房運転の指令が入力されると、制御装置９０は、図１４及び図１５に示すように、後側上下風向フラップ４５の前端部が下がるように回転させ、後側上下風向フラップ４５の角度を室内機１００停止時の閉状態から運転時の開状態にする。そして、制御装置９０は、軸流ファン４を起動させ、リモートコントローラ８１等で指定された風量となるように軸流ファン４の回転数を制御する。また、制御装置９０は、前側上下風向フラップ４１を反転させ、前側上下風向フラップ４１の角度を制御する。さらに、暖房運転においては、制御装置９０は、前側上下風向フラップ４１の角度に応じて、正面側上下風向フラップ４７の角度を制御する。
【００６１】
例えば、制御装置９０は、図１４のように、前側上下風向フラップ４１及び正面側上下風向フラップ４７の角度を制御する。詳しくは、暖房運転時、吹出口３から吹き出される空気は、室内の空気よりも暖かいため、室内の空気よりも軽い。このため、吹出口３から吹き出された空気は、上側に流れようとする。したがって、吹出口３から吹き出される暖かい空気で室内を効率的に暖房するため、制御装置９０は、前側上下風向フラップ４１を側面視において垂直状態にする。吹出口３から吹き出される暖かい空気を一端床面側に供給することにより、効率的に暖房することができる。
【００６２】
この際、冷房運転時のように吹出口３におけるケーシング１の前面部部分を全開にしていると、当該部分から室内熱交換器２０で熱交換後の暖かい空気が漏れだし、暖房性能が低下してしまう。このため、制御装置９０は、側面視において前側上下風向フラップ４１に対して正面側上下風向フラップ４７が沿うように、換言すると、側面視において前側上下風向フラップ４１と正面側上下風向フラップ４７とが略平行となるように、正面側上下風向フラップ４７の角度を制御する。詳しくは、図１４のように、前側上下風向フラップ４１を側面視において垂直状態にする場合、制御装置９０は、正面側上下風向フラップ４７も、側面視において垂直状態にし、吹出口３におけるケーシング１の前面部部分を全閉にする。これにより、吹出口３におけるケーシング１の前面部部分から漏れ出そうとする暖かい空気は、正面側上下風向フラップ４７によって下方に導かれ、前側上下風向フラップ４１で上下方向の角度を調節された空気と略同方向に吹き出されることとなる。
【００６３】
また例えば、リモートコントローラ８１からの指示、及び、赤外線センサー８０の検知結果等に基づいて、制御装置９０は、図１５に示すように、吹出口３から斜め下方に暖かい空気を吹き出させる場合もある。この場合、制御装置９０は、後端部から前端部にかけて斜め下に傾斜するように、前側上下風向フラップ４１を制御する。この際、制御装置９０は、側面視において前側上下風向フラップ４１に対して正面側上下風向フラップ４７が沿うように、換言すると、側面視において前側上下風向フラップ４１と正面側上下風向フラップ４７とが略平行となるように、正面側上下風向フラップ４７の角度も制御する。これにより、吹出口３におけるケーシング１の前面部部分から漏れ出そうとする暖かい空気は、正面側上下風向フラップ４７によって下方に導かれ、前側上下風向フラップ４１で上下方向の角度を調節された空気と略同方向に吹き出されることとなる。
【００６４】
なお、暖房運転時においても、冷房運転時と同様、前側上下風向フラップ４１は、水平状態から垂直状態の間で回転可能である。このため、前側上下風向フラップ４１を水平にして水平吹きすることもできるし、吹出口３からの冷気の吹出角度をスイング制御することもできる。この際、側面視において前側上下風向フラップ４１に対して正面側上下風向フラップ４７が沿うように、換言すると、側面視において前側上下風向フラップ４１と正面側上下風向フラップ４７とが略平行となるように、正面側上下風向フラップ４７の角度を制御すればよい。
【００６５】
以上、本実施の形態１に係る空気調和機の室内機１００は、上下風向フラップ４０として、上述のような前側上下風向フラップ４１及び後側上下風向フラップ４５を採用している。そして、本実施の形態１に係る室内機１００は、これら前側上下風向フラップ４１及び後側上下風向フラップ４５によって、吹出口３から吹き出される空気の上下方向の角度を調節している。つまり、本実施の形態１に係る室内機１００は、風路１０の分割数よりも少ない数の上下風向フラップ４０で、吹出口３から吹き出される空気の上下方向の角度を調節できる。このため、本実施の形態１に係る室内機１００は、上下風向フラップ４０の構造及び制御を簡略化できる。
【００６６】
また、本実施の形態１に係る空気調和機の室内機１００は、左右風向フラップ５０として、上述のような第１左右風向フラップ５１及び第２左右風向フラップ５５を採用している。そして、本実施の形態１に係る室内機１００は、これら第１左右風向フラップ５１及び第２左右風向フラップ５５によって、吹出口３から吹き出される空気の左右方向の角度を調節している。つまり、本実施の形態１に係る室内機１００は、風路１０の分割数よりも少ない数の左右風向フラップ５０で、吹出口３から吹き出される空気の左右方向の角度を調節できる。このため、本実施の形態１に係る室内機１００は、左右風向フラップ５０の構造及び制御を簡略化できる。
【００６７】
なお、本実施の形態１では、後側上下風向フラップ４５は、室内機１００が停止している状態の位置、及び、室内機１００が運転している状態の位置の２位置で制御された。これに限らず、後側上下風向フラップ４５の角度を、前側上下風向フラップ４１の角度に応じて制御してもよい。上述のように、本実施の形態１では、第２左右風向フラップ５５が前側上下風向フラップ４１に設けられている。このため、前側上下風向フラップ４１の角度によって、第２左右風向フラップ５５が位置する高さが異なってくる。この際、後側上下風向フラップ４５の角度を前側上下風向フラップ４１の角度に応じて制御することにより、第２風路１２及び第３風路１３から吹き出された空気をより正確に第２左右風向フラップ５５に導くことができるので、風向制御の精度を向上させることができる。
【００６８】
実施の形態２．
実施の形態１では、第２左右風向フラップ５５を前側上下風向フラップ４１に設け、該前側上下風向フラップ４１を回転させることにより、第２左右風向フラップ５５を使用位置に配置する構造となっていた。これに限らず、第２左右風向フラップ５５を使用位置に配置する構造を、例えば以下の様な構造にしてもよい。なお、本実施の形態２において、特に記述しない項目については実施の形態１と同様とし、同一の機能や構成については同一の符号を用いて述べることとする。
【００６９】
図１６は、本発明の実施の形態２に係る空気調和機の室内機を右側から見た縦断面図である。なお、この図１６は、第２左右風向フラップ５５が使用位置に配置された状態、より詳しくは室内機１００が冷房運転を行っている状態を示したものである。本実施の形態２に係る室内機１００が停止した状態は、実施の形態１で示した図６と同じである。
【００７０】
本実施の形態２に係る室内機１００は、前側上下風向フラップ４１を下方にスライドさせるスライド機構を備えている。そして、室内機１００が冷房運転又は暖房運転を行う際、前側上下風向フラップ４１が下方にスライドし、第２左右風向フラップ５５が使用位置に配置される構造となっている。このため、室内機１００の運転時に前側上下風向フラップ４１が水平になった状態において、前側上下風向フラップ４１における上面側となる面に、第２左右風向フラップ５５が設けられている。なお、上記スライド機構は、ケーシング１に取り付けられている。また、このスライド機構の制御は、制御装置９０が行う。
【００７１】
このように構成された空気調和機の室内機１００においては、室内機１００の運転時、第２左右風向フラップ５５が前側上下風向フラップ４１の上面側に配置することとなる。このため、室内機１００の運転時、第２左右風向フラップ５５がユーザーから見えづらくなり、室内機１００の意匠性をさらに向上させることができる。
【００７２】
また、室内機１００の運転時、第２左右風向フラップ５５が第１風路１１と対向して設けられることとなる。つまり、第１風路１１から吹き出された空気を、第２左右風向フラップ５５で左右方向に曲げることができる。したがって、本実施の形態２のような構造で第２左右風向フラップ５５を使用位置に配置する場合、第１左右風向フラップ５１を削除することも可能となる。
【００７３】
なお、本実施の形態２のように第２左右風向フラップ５５を使用位置に配置する場合、スライド機構は、ケーシング１に片持ち構造で支持されることとなる。このため、頑丈なスライド機構が必要となる。また、本実施の形態２のように第２左右風向フラップ５５を使用位置に配置する場合、前側上下風向フラップ４１の角度制御に用いられる駆動装置に加え、第２左右風向フラップ５５を使用位置に移動するための駆動装置も必要となる。一方、実施の形態１の構造、つまり、前側上下風向フラップ４１を回転させて第２左右風向フラップ５５を使用位置に配置する構造の場合、スライド機構は必要ない。また、実施の形態１の構造の場合、第２左右風向フラップ５５を使用位置に移動するための駆動装置として、前側上下風向フラップ４１の角度制御に用いられる駆動装置を用いることができる。このため、実施の形態１の構造、つまり、前側上下風向フラップ４１を回転させて第２左右風向フラップ５５を使用位置に配置する構造の場合、室内機１００を安価に製造できるという効果を得ることができる。
【００７４】
実施の形態３．
複数の軸流ファン４をケーシング１の左右方向に並設する場合、以下のように室内機１００を構成してもよい。なお、本実施の形態３において、特に記述しない項目については実施の形態１又は実施の形態２と同様とし、同一の機能や構成については同一の符号を用いて述べることとする。また、本実施の形態３では、説明の便宜上、右側に配置された軸流ファン４を軸流ファン４ａと称し、左側に配置された軸流ファン４を軸流ファン４ｂと称する場合もある。
【００７５】
図１７及び図１８は、本発明の実施の形態３に係る空気調和機の室内機を示す正面図である。図１９は、本発明の実施の形態３に係る空気調和機の室内機を右側から見た縦断面図である。図２０は、本発明の実施の形態３に係る空気調和機の室内機を正面右側から見た斜視図である。
なお、図１８及び図２０は、風路１０の前面壁１４及び正面側上下風向フラップ４７を取り外した状態を示している。
【００７６】
本実施の形態３に係る室内機１００は、平面視において隣接する軸流ファン４の間に設けられ、風路１０を軸流ファン４毎に分割する仕切板７０を備える。本実施の形態３では、第１熱交換器２１と第２熱交換器２２との間、及び、第３熱交換器２３と第４熱交換器２４との間に、仕切板７０が設けられている。これにより、ケーシング１内の風路１０は、仕切板７０によって、軸流ファン４ａの下方に配置された風路と、軸流ファン４ｂの下方に配置された風路とに分割される。
【００７７】
また、本実施の形態３に係る室内機１００においては、上下風向フラップ４０のうち、後側上下風向フラップ４５以外の上下風向フラップが、軸流ファン４と同数に分割されている。
【００７８】
詳しくは、前側上下風向フラップ４１は、軸流ファン４ａの下方に配置された前側上下風向フラップ４１ａと、軸流ファン４ｂの下方に配置された前側上下風向フラップ４１ｂとに分割されている。これら前側上下風向フラップ４１ａ及び前側上下風向フラップ４１ｂは、それぞれ異なる駆動装置に接続されており、独立して制御自在となっている。つまり、制御装置９０は、前側上下風向フラップ４１ａ及び前側上下風向フラップ４１ｂの角度を、それぞれ別々に制御することができるようになっている。
【００７９】
同様に、正面側上下風向フラップ４７は、軸流ファン４ａの下方に配置された正面側上下風向フラップ４７ａと、軸流ファン４ｂの下方に配置された正面側上下風向フラップ４７ｂとに分割されている。これら正面側上下風向フラップ４７ａ及び正面側上下風向フラップ４７ｂは、それぞれ異なる駆動装置に接続されており、独立して制御自在となっている。つまり、制御装置９０は、正面側上下風向フラップ４７ａ及び正面側上下風向フラップ４７ｂの角度を、それぞれ別々に制御することができるようになっている。
【００８０】
また、本実施の形態３に係る室内機１００においては、左右風向フラップ５０が、軸流ファン４と同数に分割されている。
【００８１】
詳しくは、第１左右風向フラップ５１は、軸流ファン４ａの下方に配置された第１左右風向フラップ５１ａと、軸流ファン４ｂの下方に配置された第１左右風向フラップ５１ｂとに分割されている。そして、第１左右風向フラップ５１ａの板部材５２を連結する連結部材５４と、第１左右風向フラップ５１ｂの板部材５２を連結する連結部材５４とは、それぞれ異なる駆動装置に接続されており、独立して制御自在となっている。つまり、制御装置９０は、第１左右風向フラップ５１ａの板部材５２及び第１左右風向フラップ５１ｂの板部材５２の角度を、それぞれ別々に制御することができるようになっている。
【００８２】
同様に、第２左右風向フラップ５５は、軸流ファン４ａの下方に配置された第２左右風向フラップ５５ａと、軸流ファン４ｂの下方に配置された第２左右風向フラップ５５ｂとに分割されている。そして、第２左右風向フラップ５５ａの板部材５６を連結する連結部材５８と、第２左右風向フラップ５５ｂの板部材５６を連結する連結部材５８とは、それぞれ異なる駆動装置に接続されており、独立して制御自在となっている。つまり、制御装置９０は、第２左右風向フラップ５５ａの板部材５６及び第２左右風向フラップ５５ｂの板部材５６の角度を、それぞれ別々に制御することができるようになっている。
【００８３】
このように構成された空気調和機の室内機１００においては、風路１０が軸流ファン４毎に分割されている。このため、軸流ファン４ａの下方に位置する吹出口３部分からの風量と、軸流ファン４ｂの下方に位置する吹出口３部分からの風量とを異ならせることができる。
【００８４】
また、このように構成された空気調和機の室内機１００においては、前側上下風向フラップ４１及び正面側上下風向フラップ４７が軸流ファン４毎に分割されている。このため、軸流ファン４ａの下方に位置する吹出口３部分から吹き出される空気の上下方向の角度と、軸流ファン４ｂの下方に位置する吹出口３部分から吹き出される空気の上下方向の角度とを異ならせることができる。
【００８５】
また、このように構成された空気調和機の室内機１００においては、第１左右風向フラップ５１及び第２左右風向フラップ５５が軸流ファン４毎に分割されている。このため、軸流ファン４ａの下方に位置する吹出口３部分から吹き出される空気の左右方向の角度と、軸流ファン４ｂの下方に位置する吹出口３部分から吹き出される空気の左右方向の角度とを異ならせることができる。例えば、図１８及び図２０に示すように、軸流ファン４ａの下方に位置する吹出口３部分からは右側に空気を吹き出し、軸流ファン４ｂの下方に位置する吹出口３部分からは左側に空気を吹き出すことができる。
【００８６】
したがって、本実施の形態３のように室内機１００を構成することにより、室内の複数の箇所に異なる風量の空調空気を供給することができ、室内の快適性をより向上させることができる。
【００８７】
なお、後側上下風向フラップ４５の角度を前側上下風向フラップ４１の角度に応じて制御する場合、後側上下風向フラップ４５を、軸流ファン４ａの下方に配置された後側上下風向フラップと、軸流ファン４ｂの下方に配置された後側上下風向フラップとに分割するとよい。
【符号の説明】
【００８８】
１  ケーシング、２  吸込口、３  吹出口、４  軸流ファン、４ａ  軸流ファン、４ｂ  軸流ファン、１０  風路、１１  第１風路、１２  第２風路、１３  第３風路、１４  前面壁、１５  背面壁、２０  室内熱交換器、２１  第１熱交換器、２２  第２熱交換器、２３  第３熱交換器、２４  第４熱交換器、３１  前側ドレンパン、３２  背面、３５  後側ドレンパン、３６  前面、３７  突出部、３８  排水路、３９  接続口、４０  上下風向フラップ、４１  前側上下風向フラップ、４１ａ  前側上下風向フラップ、４１ｂ  前側上下風向フラップ、４２  回転軸、４５  後側上下風向フラップ、４６  回転軸、４７  正面側上下風向フラップ、４７ａ  正面側上下風向フラップ、４７ｂ  正面側上下風向フラップ、４８  回転軸、５０  左右風向フラップ、５１  第１左右風向フラップ、５１ａ  第１左右風向フラップ、５１ｂ  第１左右風向フラップ、５２  板部材、５３  回転軸、５４  連結部材、５５  第２左右風向フラップ、５５ａ  第２左右風向フラップ、５５ｂ  第２左右風向フラップ、５６  板部材、５７  回転軸、５８  連結部材、６０  整流板ユニット、６１  前側整流板、６２  上端部、６５  後側整流板、６６  上端部、６７  下端部、６８  連結板、６９  爪、７０  仕切板、８０  赤外線センサー、８１  リモートコントローラ、９０  制御装置、１００  室内機。
【図１】
2017026013.tif 000003
【図２】
2017026013.tif 000004
【図３】
2017026013.tif 000005
【図４】
2017026013.tif 000006
【図５】
2017026013.tif 000007
【図６】
2017026013.tif 000008
【図７】
2017026013.tif 000009
【図８】
2017026013.tif 000010
【図９】
2017026013.tif 000011
【図１０】
2017026013.tif 000012
【図１１】
2017026013.tif 000013
【図１２】
2017026013.tif 000014
【図１３】
2017026013.tif 000015
【図１４】
2017026013.tif 000016
【図１５】
2017026013.tif 000017
【図１６】
2017026013.tif 000018
【図１７】
2017026013.tif 000019
【図１８】
2017026013.tif 000020
【図１９】
2017026013.tif 000021
【図２０】
2017026013.tif 000022
【手続補正書】
【提出日】平成29年11月21日(2017.11.21)
【手続補正１】
【補正対象書類名】明細書
【補正対象項目名】０００９
【補正方法】変更
【補正の内容】
【０００９】
本発明に係る空気調和機の室内機は、上面部に形成された吸込口、下面部から前面部下側にかけて形成された吹出口、及び、前記吸込口と前記吹出口とを連通する風路を有するケーシングと、前記風路内において前記吸込口の下側に設けられた軸流ファンと、前記風路内において前記軸流ファンの下側に設けられた、側面視Ｗ字状の室内熱交換器と、前記風路内において、前記室内熱交換器の前側谷部の下方に配置された前側ドレンパンと、前記風路内において、前記室内熱交換器の後側谷部の下方に配置された後側ドレンパンと、を備え、前記風路が、前記前側ドレンパン及び前記後側ドレンパンによって、該風路の前面壁と前記前側ドレンパンとの間に形成された第１風路、前記前側ドレンパンと前記後側ドレンパンとの間に形成された第２風路、及び、前記後側ドレンパンと前記風路の背面壁との間に形成された第３風路に分割された構成であり、前記吹出口から吹き出される空気の上下方向の角度を調節する上下風向フラップとして、前記吹出口における前記ケーシングの前記下面部部分に分かれて配置され、少なくとも前端部が上下方向に揺動自在に設けられた前側上下風向フラップ及び後側上下風向フラップを備え、前記後側上下風向フラップは、側面視において、前端部が前記第２風路の前端部と同位置又は前記第２風路よりも前側に位置するように、前記第２風路及び前記第３風路の下側に配置されており、前記前側上下風向フラップは、側面視において、前記後側上下風向フラップより前方で、前記第１風路の下側に配置されているものである。
【手続補正２】
【補正対象書類名】明細書
【補正対象項目名】００２６
【補正方法】変更
【補正の内容】
【００２６】
また、後側上下風向フラップ４５は、前端部が第２風路１２の前端部と同位置又は前記第２風路よりも前側に位置するように、配置されている。ここで、第２風路１２の前端部とは、前側ドレンパン３１において最も後方に突出した箇所である。なお、図６に示すように、第３風路１３の背面側を構成する背面壁１５の下部は、第３風路１３から吹き出した空気を前方に導くため、下方に向かうにしたがって前方に突出した形状となっている。後側上下風向フラップ４５の後端部は、第３風路１３の背面側を構成する背面壁１５の下端部よりも、若干前方に配置されている。
【手続補正３】
【補正対象書類名】特許請求の範囲
【補正対象項目名】請求項１
【補正方法】変更
【補正の内容】
【請求項１】
上面部に形成された吸込口、下面部から前面部下側にかけて形成された吹出口、及び、前記吸込口と前記吹出口とを連通する風路を有するケーシングと、
前記風路内において前記吸込口の下側に設けられた軸流ファンと、
前記風路内において前記軸流ファンの下側に設けられた、側面視Ｗ字状の室内熱交換器と、
前記風路内において、前記室内熱交換器の前側谷部の下方に配置された前側ドレンパンと、
前記風路内において、前記室内熱交換器の後側谷部の下方に配置された後側ドレンパンと、
を備え、
前記風路が、前記前側ドレンパン及び前記後側ドレンパンによって、該風路の前面壁と前記前側ドレンパンとの間に形成された第１風路、前記前側ドレンパンと前記後側ドレンパンとの間に形成された第２風路、及び、前記後側ドレンパンと前記風路の背面壁との間に形成された第３風路に分割された構成であり、
前記吹出口から吹き出される空気の上下方向の角度を調節する上下風向フラップとして、前記吹出口における前記ケーシングの前記下面部部分に分かれて配置され、少なくとも前端部が上下方向に揺動自在に設けられた前側上下風向フラップ及び後側上下風向フラップを備え、
前記後側上下風向フラップは、側面視において、前端部が前記第２風路の前端部と同位置又は前記第２風路よりも前側に位置するように、前記第２風路及び前記第３風路の下側に配置されており、
前記前側上下風向フラップは、側面視において、前記後側上下風向フラップより前方で、前記第１風路の下側に配置されている空気調和機の室内機。
【国際調査報告】
2017026013.tif 000023
2017026013.tif 000024